(57)【要約】【課題】簡単確実に現在位置にタクシー等の車両を手配することが可能な車両手配方法を提供すること。【解決手段】携帯端末は、自動販売機に対して車両手配要求を送信し（ＳＴ１２）、自動販売機は、前記車両手配要求を受信し、サーバーに対してこの自動販売機の識別情報及び前記車両手配要求を送信し（ＳＴ２４）、サーバーは、各自動販売機の識別情報に対応する自動販売機の位置情報を有し、前記自動販売機の識別情報及び前記車両手配要求を受信し、前記自動販売機の識別情報及び前記自動販売機の位置情報から自動販売機の位置を特定し、特定された位置に対して車両を手配する。【選択図】　　図９
2004133604.tif 000002
【特許請求の範囲】
【請求項１】
携帯端末は、自動販売機に対して車両手配要求を送信し、
自動販売機は、前記車両手配要求を受信し、サーバーに対してこの自動販売機の識別情報及び前記車両手配要求を送信し、
サーバーは、各自動販売機の識別情報に対応する自動販売機の位置情報を有し、前記自動販売機の識別情報及び前記車両手配要求を受信し、前記自動販売機の識別情報及び前記自動販売機の位置情報から自動販売機の位置を特定し、特定された位置に対して車両を手配する、
ことを特徴とする車両手配方法。
【請求項２】
携帯端末は、自動販売機から購入した商品を特定する商品特定情報を受け取り、この自動販売機に対してこの携帯端末の連絡先情報及び前記商品特定情報を含む車両手配要求を送信し、
自動販売機は、前記車両手配要求を受信し、サーバーに対してこの自動販売機の識別情報及び前記車両手配要求を送信し、
サーバーは、各自動販売機の識別情報に対応する自動販売機の位置情報を有し、前記自動販売機の識別情報及び前記車両手配要求を受信し、前記自動販売機の識別情報及び前記自動販売機の位置情報から自動販売機の位置を特定し、前記車両手配要求に含まれる前記商品特定情報から割引について決定し、特定された位置に対して割引が適用される車両を手配し、前記車両手配要求に含まれる前記携帯端末の連絡先に対して車両手配完了を通知する、
ことを特徴とする車両手配方法。
【請求項３】
携帯端末は、現在位置情報を生成し、サーバーに対してこの現在位置情報を含む車両手配要求を送信し、
サーバーは、前記車両手配要求を受信し、前記車両手配要求に含まれる現在位置情報が示す位置に対して車両を手配する、
ことを特徴とする車両手配方法。
【請求項４】
携帯端末は、購入した商品を特定する商品特定情報を受け取り、現在位置情報を生成し、サーバーに対してこの携帯端末の連絡先情報、前記現在位置情報、及び前記商品特定情報を含む車両手配要求を送信し、
サーバーは、前記車両手配要求を受信し、前記車両手配要求に含まれる前記商品特定情報から割引について決定し、前記車両手配要求に含まれる前記現在位置情報が示す位置に対して割引が適用される車両を手配し、前記車両手配要求に含まれる前記携帯端末の連絡先に対して車両手配完了を通知する、
ことを特徴とする車両手配方法。
【発明の詳細な説明】
【０００１】
【発明の属する技術分野】
この発明は、乗客の現在位置にタクシーなどの車両を手配する車両手配方法に関する。
【０００２】
【従来の技術】
タクシーなどの車両を手配してもらう方法として、例えば、タクシー会社に連絡して、名前と場所（現在位置）を告げ、迎えにきてもらうという方法がある。
【０００３】
【発明が解決しようとする課題】
しかし、上記した方法では、タクシー会社の連絡先を調べなければならないという問題がある。さらに、見知らぬ土地にいる場合、現在位置が把握できなかったり、現在位置を的確に説明できなかったりするという問題もある。
【０００４】
この発明の目的は、上記したような事情に鑑み成されたものであって、簡単確実に現在位置にタクシー等の車両を手配することが可能な車両手配方法を提供することにある。
【０００５】
【課題を解決するための手段】
上記課題を解決し目的を達成するために、この発明の車両手配方法は、以下のように構成されている。
【０００６】
この発明の車両手配方法では、携帯端末が、自動販売機に対して車両手配要求を送信し、自動販売機が、前記車両手配要求を受信し、サーバーに対してこの自動販売機の識別情報及び前記車両手配要求を送信し、サーバーが、各自動販売機の識別情報に対応する自動販売機の位置情報を有し、前記自動販売機の識別情報及び前記車両手配要求を受信し、前記自動販売機の識別情報及び前記自動販売機の位置情報から自動販売機の位置を特定し、特定された位置に対して車両を手配する。
【０００７】
【発明の実施の形態】
以下、この発明の実施の形態について図面を参照して説明する。
図１は、この発明の一実施の形態に係るタクシー予約システムの概略を示す図である。図１に示すように、タクシー予約システムは、予約配信サーバー１を備えている。この予約配信サーバー１は、例えば電話回線により自動販売機２と接続されている。この自動販売機２は、Ｂｌｕｅｔｏｏｔｈ機能を搭載している。携帯電話などの携帯端末３も、Ｂｌｕｅｔｏｏｔｈ機能を搭載している。自動販売機２と携帯端末３との間で、Ｂｌｕｅｔｏｏｔｈ機能による近距離無線通信が可能である。
【０００８】
図２は、図１に示す予約配信サーバー１の概略構成を示すブロック図である。図２に示すように、予約配信サーバー１は、ＣＰＵ１０、第１データ通信部２０、表示部３０、第２データ通信部４０、入力部５０、記憶部６０、制御部７０、記憶装置８０などを備えている。
【０００９】
ＣＰＵ１０は、予約配信サーバー１全体を制御する。第１データ通信部２０は、携帯端末３と通信し各種データを送受信する。表示部３０は、自動販売機２から送信される車両手配要求に含まれる各種情報を表示する。第２データ通信部４０は、自動販売機２と通信し各種データを送受信する。入力部５０は、予約配信サーバー１のオペレータによる入力操作を受け付ける。記憶部６０は、制御プログラム等を記憶する。制御部７０は、記憶部６０に記憶された制御プログラムに基づき各部の動作を制御する。記憶装置８０は、予約者情報テーブル８１、自動販売機の位置情報検索テーブル８２、割引対象商品検索テーブル８３、予約受付案内メール送信用ひな形データ８４、回送料金割引率テーブル８５を格納している。
【００１０】
ここで、図９及び図１０に示すフローチャートを参照して、タクシー予約システムによるタクシーの予約方法（車両手配方法）について説明する。タクシーを呼びたい者は、携帯端末３のメインメニュー画面から、タクシー予約メニューを選択し、タクシー予約画面を表示させる。このタクシー予約画面に、予約情報を入力する。予約情報とは、例えば、行き先及び携帯メールアドレスである。また、自動販売機２で商品を購入している場合は、商品に付されているバーコード番号（商品特定情報）も、予約情報に加えることができる。後に、このバーコード番号により、割引が適用された車両の手配を受けることができる。
【００１１】
タクシー予約画面に予約情報を入力し終え、同画面上の「予約申し込み」が選択されると、携帯端末３のＢｌｕｅｔｏｏｔｈ機能により、携帯端末３と自動販売機２との間で近距離無線通信による接続動作が開始され（ＳＴ１１）、接続が完了すると（ＳＴ２１）、携帯端末３から自動販売機２に対して、予約情報を含む車両手配要求が送信される（ＳＴ１２）。自動販売機２が携帯端末３から送信される車両手配要求の受信に成功すると、携帯端末３と自動販売機２との通信は切断され（ＳＴ１３）、自動販売機２において切断完了が確認されれば（ＳＴ２３）、携帯端末３と自動販売機２との間の処理は完了する。
【００１２】
自動販売機２は、携帯端末３から送信される車両手配要求を受信すると、電話回線（インターネット等）を経由して、予約配信サーバー１に接続し（ＳＴ２２）、接続が完了すると（ＳＴ３１）、予約配信サーバー１に対してこの自動販売機のＩＤ番号（識別情報）及び車両手配要求を送信する（ＳＴ２４）。予約配信サーバー１は、第２データ通信部４０により電話回線に接続し、自動販売機２から送信される自動販売機のＩＤ番号（識別情報）及び車両手配要求の受信に成功すると、自動販売機２と予約配信サーバー１との通信は切断され（ＳＴ２５）、予約配信サーバー１において切断完了が確認されれば（ＳＴ３３）、自動販売機２と予約配信サーバー１との間の処理は完了する。
【００１３】
予約配信サーバー１の記憶装置８０は、上記したように、予約者情報テーブル８１、自動販売機の位置情報検索テーブル８２、割引対象商品検索テーブル８３、予約受付案内メール送信用ひな形データ８４、回送料金割引率テーブル８５を格納している。図３は、予約者情報テーブル８１の一例を示す図である。予約者情報テーブル８１には、携帯端末３から自動販売機２経由で送信される車両手配要求に含まれる予約情報、及び経由した自動販売機２のＩＤ番号（識別情報）が格納される。図４は、自動販売機の位置情報検索テーブル８２の一例を示す図である。自動販売機の位置情報検索テーブル８２には、各自動販売機のＩＤ番号に対応した自動販売機設置場所情報（位置情報）が格納される。図５は、割引対象商品検索テーブル８３の一例を示す図である。割引対象商品検索テーブル８３には、割引対象となる商品のバーコード番号が格納される。図６は、回送料金割引率テーブル８５の一例を示す図である。回送料金割引率テーブル８５には、例えば時間帯毎の割引率が格納される。
【００１４】
予約配信サーバー１は、受信した車両手配要求に含まれる自動販売機のＩＤ番号を基に、自動販売機の位置情報検索テーブル８２から、自動販売機の設置場所を特定する（ＳＴ３２）。さらに、予約配信サーバー１は、受信した車両手配要求にバーコード番号が含まれていた場合、このバーコード番号が割引対象商品検索テーブル８３に含まれているか否か検索する。つまり、このバーコード番号が割引対象か否か判断する。このバーコード番号が割引対象商品検索テーブル８３に含まれていれば（ＳＴ３３、ＹＥＳ）、現在時刻及び回送料金割引率テーブル８５に基づき割引率が決定される。例えば、現在時刻が通常時間帯に該当すれば（ＳＴ３４、ＹＥＳ）、割引率は２０％に決定し（ＳＴ３５）、特定された自動販売機の設置場所に対して割引が適用された車両を手配する。現在時刻が深夜時間帯に該当すれば（ＳＴ３４、ＮＯ）、割引率は１０％に決定し（ＳＴ３６）、特定された自動販売機の設置場所に対して割引が適用された車両を手配する。
【００１５】
予約配信サーバー１は、各種情報を図７に示す予約受付案内メール送信用ひな形データ８４に書き込み、予約受付案内メールを作成する。例えば、予約配信サーバー１は、車両手配要求に含まれる携帯メールアドレスを予約受付案内メール送信用ひな形データ８４の項目ａに書き込み、決定された割引に関する情報を予約受付案内メール送信用ひな形データ８４の項目ｂに書き込み、車両手配要求に含まれる行き先を予約受付案内メール送信用ひな形データ８４の項目ｃに書き込み、特定された自動販売機の設置場所を予約受付案内メール送信用ひな形データ８４の項目ｄに書き込み、受け付け時間を予約受付案内メール送信用ひな形データ８４の項目ｅに書き込む。
【００１６】
予約配信サーバー１は、第１データ通信部２０により、車両手配要求に含まれる携帯メールアドレスに対して作成した予約受付案内メールを送信する（ＳＴ３８）。携帯端末３が、予約受付案内を受信すると（ＳＴ１４）、携帯端末３には、図８に示すような予約受付案内画面が表示される。
【００１７】
上記説明では、携帯端末３から自動販売機２を経由して予約配信サーバー１に車両手配要求を送信するケースについて説明したが、自動販売機２を介在せずに、携帯端末３が、直接、予約配信サーバー１に対して車両手配要求を送信するようにしてもよい。この場合、携帯端末３は、ＧＰＳ（ｇｌｏｂａｌ　ｐｏｓｉｔｉｏｎｉｎｇ　ｓｙｓｔｅｍ）機能を有し、このＧＰＳ機能により現在位置情報を把握することができる。その上、携帯端末３から送信される車両手配要求には、行き先及び携帯メールアドレスに加えて現在位置情報が含まれる。或いは、商品を購入している場合、携帯端末３から送信される車両手配要求には、行き先、携帯メールアドレス、及びバーコード番号に加えて現在位置情報が含まれる。
【００１８】
ＧＰＳ機能を持つ携帯端末３は、インターネットなどを経由して、予約配信サーバー１に対して上記した車両手配要求を送信する。予約配信サーバー１は、携帯端末３からの車両手配要求を受信し、この車両手配要求に含まれるバーコード番号から割引について決定し、この車両手配要求に含まれる現在位置情報が示す位置に対して割引が適用された車両を手配し、この車両手配要求に含まれる携帯メールアドレスに対して車両手配完了を通知する。このように、ＧＰＳ機能を持つ携帯端末３を利用して、携帯端末３から予約配信サーバー１に対して車両手配要求を送信する場合、携帯端末３において現在位置情報が把握できるので、予約配信サーバー１で位置情報（上記したような自動販売機の位置情報）を管理する手間が省ける。
【００１９】
これまでは、タクシー等の車両を手配する場合、まずタクシー会社の連絡先を調べる必要があった。この発明によれば、タクシー会社の連絡先を調べなくても、タクシー等の車両を簡単に手配することができる。また、見知らぬ土地からでも、確実に現在位置にタクシー等の車両を手配することができる。また、これまでは、回送でタクシー等の車両を手配すると（タクシーを呼ぶと）回送料金が必要であり利用者にとって負担となっていた。この発明によれば、自動販売機の商品購入と引き換えに、回送料金や乗車運賃等を割り引くことで、多様なサービスを提供することができる。
【００２０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００２１】
【発明の効果】
この発明によれば、簡単確実に現在位置にタクシー等の車両を手配することが可能な車両手配方法を提供できる。
【図面の簡単な説明】
【図１】この発明の一実施の形態に係るタクシー予約システムの概略を示す図である。
【図２】図１に示す予約配信サーバーの概略構成を示すブロック図である。
【図３】図２に示す予約配信サーバーの記憶装置に格納される予約者情報テーブルの一例を示す図である。
【図４】図２に示す予約配信サーバーの記憶装置に格納される自動販売機の位置情報検索テーブルの一例を示す図である。
【図５】図２に示す予約配信サーバーの記憶装置に格納される割引対象商品検索テーブルの一例を示す図である。
【図６】図２に示す予約配信サーバーの記憶装置に格納される回送料金割引率テーブルの一例を示す図である。
【図７】図２に示す予約配信サーバーの記憶装置に格納される予約受付案内メール送信用ひな形の一例を示す図である。
【図８】携帯端末に表示される予約受付案内画面の一例を示す図である。
【図９】タクシー予約システムによるタクシーの予約方法（車両手配方法）の一例を示すフローチャートその１である。
【図１０】タクシー予約システムによるタクシーの予約方法（車両手配方法）の一例を示すフローチャートその２である。
【符号の説明】
１…予約配信サーバー、２…自動販売機、３…携帯端末（携帯電話）、１０…ＣＰＵ、２０…第１データ通信部、３０…表示部、４０…第２データ通信部、５０…入力部、６０…記憶部、７０…制御部、８０…記憶装置、８１…予約者情報テーブル、８２…自動販売機の位置情報検索テーブル、８３…割引対象商品検索テーブル、８４…予約受付案内メール送信用ひな形データ、８５…回送料金割引率テーブル
【図１】
2004133604.tif 000003
【図２】
2004133604.tif 000004
【図３】
2004133604.tif 000005
【図４】
2004133604.tif 000006
【図５】
2004133604.tif 000007
【図６】
2004133604.tif 000008
【図７】
2004133604.tif 000009
【図８】
2004133604.tif 000010
【図９】
2004133604.tif 000011
【図１０】
2004133604.tif 000012